(57)【要約】【課題】照明装置の回転による照射光の照射方向のずれを防止して、ショーケース等における商品の視認性の低下や無駄な照射を防止する。【解決手段】  光透過性の管状の保護カバー３３で、光源である蛍光灯３２を覆った照明装置３０の外周部に突出片３４を設け、内方にバネ性を有して拡開可能な挟持部２０ｂで照明装置３０を挟持保持するホルダー２０の断面略コ字状に窪んだ凹状の取付部２０ｃに、照明装置３０側の突出片３４を係合させることにより、ホルダー２０に対する照明装置３０の回転を防止するようにした。【選択図】図５
2013232286.tif 000002
【特許請求の範囲】
【請求項１】
光透過性を有する管状の保護カバーで光源を覆って構成された照明装置の外周部を、内方にバネ性を有し開放先端部が拡開可能な挟持部で挟持保持し、取付部で固定部に固定するホルダーを用いて前記固定部に取付ける前記照明装置の前記ホルダーに対する回転を防止する照明装置の回転防止機構であって、
前記保護カバーの外周部に、前記ホルダーに係合して前記照明装置の回転を規制する回転規制手段を設けたことを特徴とする照明装置の回転防止機構。
【請求項２】
前記ホルダーの挟持部の挟持面より窪んだ凹状の前記取付部に、前記回転規制手段を係合させる請求項１に記載の照明装置の回転防止機構。
【請求項３】
前記ホルダーの挟持部の前記開放先端部に、前記回転規制手段を係合させる請求項１に記載の照明装置の回転防止機構。
【請求項４】
前記回転規制手段は、前記保護カバーの外周部から外方に突出して前記ホルダーに係合する係合部である請求項１〜３のいずれか１つに記載の照明装置の回転防止機構。
【請求項５】
前記係合部を、前記保護カバーと一体成形する請求項４に記載の照明装置の回転防止機構。
【請求項６】
前記回転規制手段は、前記保護カバーの外周形状に沿って円弧状に形成され内方にバネ性を有して拡開可能な両先端部に爪部を有する把持部と、該把持部の外周部から外方に突出して前記ホルダーに係合する係合部とを備え、前記保護カバーの外周部に当該カバー軸方向に沿って形成した溝部に、前記把持部の前記爪部を係止させて前記保護カバーの外周部に取付ける構成である請求項１〜３のいずれか１つに記載の照明装置の回転防止機構。
【請求項７】
前記係合部の中央に凹部を設けた請求項４〜６のいずれか１つに記載の照明装置の回転防止機構。
【請求項８】
前記照明装置は、商品陳列用の棚を架設した陳列室を備えたショーケースの前記陳列室内を照明するものである請求項１〜７のいずれか１つに記載の照明装置の回転防止機構。
【発明の詳細な説明】
【技術分野】
【０００１】
本発明は、内方にバネ性を有し先端部が拡開可能な挟持部で照明装置を挟持保持するホルダーを用いて固定部に取付ける照明装置のホルダーに対する回転を防止する照明装置の回転防止機構に関する。
【背景技術】
【０００２】
スーパーマーケットやコンビニエンスストア等に設置されるショーケースは、商品陳列室内を照明するため、蛍光灯やＬＥＤ素子からなる照明モジュール等の照明装置を取付けている。このような照明装置は、リーチインやウォークインのような透視可能な扉付きのショーケースでは、ケース前面に設けた支柱の後面に、支柱の適所に固定したホルダーで挟持保持して上下方向に設置されている（例えば、特許文献１参照）。また、前面が開口したオープンタイプのショーケースでは、前面の開口部の上部等に、同じくホルダーで挟持保持してショーケースの幅方向に設置されている（例えば、特許文献２参照）。
【先行技術文献】
【特許文献】
【０００３】
【特許文献１】特開２００９−１１２３５１号公報
【特許文献２】特開２０１０−７８２５０号公報
【発明の概要】
【発明が解決しようとする課題】
【０００４】
ところで、ショーケースに取付ける照明装置の通電は、ショーケース側にフリーな状態でソケット部を設け、このソケット部に照明装置を接続して行われている。このため、照明装置はホルダーの挟持力で位置決めされているだけであり、商品の出し入れの際に作業者や商品が照明装置に接触した場合に照明装置が回転する虞れがある。照明装置に通常の蛍光灯を用いている場合は３６０度照射のため問題ないが、照射が必要のない方向（例えば、照明装置を取付けた壁側等）への無駄な照射を抑制するために反射フィルムを設けた蛍光灯やＬＥＤ素子からなる照明モジュールのように、照射方向に指向性を有する照明装置を用いた場合、照明光の照射方向が予め設定した照射方向からずれてしまい、商品の視認性の低下や照明光の無駄が生じるという問題があった。
【０００５】
本発明は上記問題点に着目してなされたもので、照射方向に指向性を有する照明装置における照明方向のずれを防止できる照明装置の回転防止機構を提供することを目的とする。
【課題を解決するための手段】
【０００６】
このため、本発明の照明装置の回転防止機構は、光透過性を有する管状の保護カバーで光源を覆って構成された照明装置の外周部を、内方にバネ性を有し開放先端部が拡開可能な挟持部で挟持保持し、取付部で固定部に固定するホルダーを用いて前記固定部に取付ける前記照明装置の前記ホルダーに対する回転を防止する照明装置の回転防止機構であって、前記保護カバーの外周部に、前記ホルダーに係合して前記照明装置の回転を規制する回転規制手段を設けたことを特徴とする。
【発明の効果】
【０００７】
本発明の照明装置の回転防止機構によれば、照明装置に回転方向の外力が作用したときに、照明装置の保護カバーの外周部に設けた回転規制手段がホルダーに係合するので、照明装置を挟持保持しているホルダーに対して照明装置が回転するのを防止でき、照射方向に指向性を有する照明装置の回転に伴う照射方向のずれを防止でき、例えば、ショーケース等における商品の視認性の低下や照明光の無駄を低減できる。
【図面の簡単な説明】
【０００８】
【図１】本発明の回転防止機構の実施形態を適用するショーケースの一例を示す部分斜視図である。
【図２】陳列室側から見た図１のショーケースの前面扉部分を示す斜視図である。
【図３】照明装置の部分拡大斜視図である。
【図４】ホルダーの枠体取付け状態を示す図である。
【図５】ホルダーへの照明装置の取付け状態を示す図である。
【図６】ホルダーの他の例を示す図である。
【図７】図６のホルダーへの照明装置の取付け状態を示す図である。
【図８】照明装置の他の例を示す図である。
【図９】照明装置の保護カバーの他の例を示す断面図である。
【図１０】本発明の回転防止機構の別の実施形態を示す斜視図である。
【図１１】図１１は、図１０の照明装置の端子部側から見た正面図である。
【図１２】本発明の回転防止機構を適用するショーケースの別の例を示す部分斜視図である。
【図１３】本発明の回転防止機構を適用するショーケースの更に別の例を示す要部斜視図である。
【発明を実施するための形態】
【０００９】
以下、本発明の実施形態を図面に基づいて説明する。
図１は、本発明の回転防止機構を適用するショーケースの一例を示す斜視図であり、図１のショーケース１は、例えばスーパーマーケットやコンビニエンスストア等に設置されるリーチイン、ウォークイン等のガラス扉付きの低温ショーケースである。
【００１０】
ショーケース１は、前面開口の箱体２により本体が構成され、箱体２内部に陳列室３が画成されている。陳列室３の前面（店内側）開口は、内部を透視可能なガラス板４を備えた複数の扉５（本実施形態では２つ）により開閉自在に閉塞される。この陳列室３には、ペットボトル等の商品６を載置するための複数段の棚７が架設されている。
【００１１】
箱体２の前面開口縁部には、枠体８が組み付けられている。この枠体８は、前面側（店内側）開口８Ａの開口面積が後面側（陳列室側）開口８Ｂの開口面積より大きい段付状に形成され、前面側開口８Ａの縁部の両側部にそれぞれ扉５が回転自在に枢支されている。また、図２に示すように、後面側開口８Ｂの縁部の略中央には支柱９が上下にわたって立設されており、これにより、扉５は、枠体８の後面側開口８Ｂの縁部の前面と支柱９の前面に密着して陳列室３の前面開口を閉塞する。
【００１２】
そして、前記枠体８の後面側開口８Ｂの両側部の後面と支柱９の後面（陳列室側）には、上下に所定間隔を設けて固定した複数のホルダー２０によって照明装置３０が挟持保持されている。照明装置３０は、枠体８内から外部に取出した電気配線１０先端に取付けたフリー状態のソケット部１１と電極端子を電気的に接続することにより、通電されて陳列室３内を照明する。また、照明装置３０が取付けられる枠体８の後面側開口８Ｂの下部には、取付けた照明装置３０の落下を防止するためのストッパー１２が設けられている。尚、図２では、枠体８の両側部の照明装置の図示を省略し、支柱９部分の照明装置３０のみ図示してある。
【００１３】
前記照明装置３０は、図３に示すように、例えば反射フィルム３１入りの蛍光灯３２を光源とし、蛍光灯３２を、例えば樹脂を押出し成形して形成した例えば透明で光透過性を有する管状の保護カバー３３で覆って構成されている。そして、保護カバー３３の外周部には、ホルダー２０に取付けたときに、ホルダー２０に係合して照明装置３０の回転を規制する回転規制手段として、外方に互いに対向して突出する突出片（係合部）３４を、保護カバー３３の管状部分の長手方向に沿って管状部分と一体成形して設けてある。
【００１４】
前記ホルダー２０は、例えば、図４に示すように、内方にバネ性を有し開放先端部２０ａが拡開可能な挟持部２０ｂと、この挟持部２０ｂの挟持面より断面略コ字状に窪んだ凹状の取付部２０ｃと、からなり、取付部２０ｃを介してネジ２１により枠体８に固定する構成である。
【００１５】
前記照明装置３０をこのホルダー２０に取付ける場合には、挟持部２０ｂの開放先端部２０ａから挟持部２０ｂを押し広げながら照明装置３０をホルダー２０に挿入し、図５に示すように、突出片３４をホルダー２０の取付部２０ｃに係合させる。これにより、商品の出し入れの際に、作業者や商品が照明装置３０に接触して図中の矢印で示す左又は右方向の外力が照明装置３０に加わっても、照明装置３０側の突出片３４がホルダー２０の取付部２０ｃの側面に当接して照明装置３０の回転が規制され、照明装置３０の回転を防止できる。従って、照明装置３０の予め設定した照射方向がずれることがなく、商品の視認性の低下や照明光の無駄を低減できるようになる。また、既存店のショーケースの照明装置への適用を考慮した場合、照明装置３０の保護カバー３３に回転規制手段（突出片３４）を設ける構成としたので、保護カバー３３の交換だけで済み、容易且つ低コストで回転防止機構を組み込んだ照明装置への交換が可能となる。
【００１６】
上記の実施形態は、ホルダー形状が凹状に窪んだ取付部２０ｃを有する場合について説明したが、図６に示すように、取付部４０ｃが凹状に窪んだ部分のない差込み式のホルダー４０の場合は、図７に示すように、ホルダー４０の挟持部４０ｂの開放先端部４０ａに、照明装置３０の突出片３４を係合させるようにすればよい。
【００１７】
尚、照射方向に指向性を有し本発明の回転防止機構の適用が望ましい照明装置としては、上述した反射フィルム入りの蛍光灯を光源とした照明装置の他に、例えば、図８（Ａ）、（Ｂ）に示すような照明装置がある。尚、上記実施形態と同一要素には同一符号を付してある。（Ａ）は、基板５１上にＬＥＤ素子５２を設けた照明モジュールを光源とし、放熱性を考慮してアルミニウム３３ａと光透過性の樹脂３３ｂの勘合構造の保護カバー３３で覆い、アルミニウム部分に照明モジュールの基板を取付けたものであり、回転規制手段の突出片３４をアルミニウムで一体成形したものである。（Ｂ）は、前記基板５１とＬＥＤ素子５２からなる照明モジュールを背中合わせに設けて両面配光型の光源として光透過性の保護カバー３３で覆ったものである。
【００１８】
上述したように、本発明の回転防止機構は、蛍光灯の保持用ホルダーとＬＥＤ素子を用いた照明モジュールの保持用ホルダーのどちらにも共通して適用できるので、ショーケースの照明装置を蛍光灯からＬＥＤに交換する際に、既設のホルダーを交換することなくそのまま使用することができ、照明装置の交換だけで済む。
【００１９】
保護カバー３３に設ける回転規制手段としての係合部の形状は、上述の突出片３４に限るものではなく、ホルダーに係合可能な形状であればよく、係合部の他の形状例を図９（Ａ）〜（Ｃ）に示す。図９（Ａ）の係合部６０は、保護カバー３３の管状部分の外周部から外方に突出し中央に窪んだ凹部６０ａを有する形状である。かかる形状の場合、ネジ固定式のホルダー２０であれば、突出片３４と同様にネジ頭部の出っ張りを避けて係合させることができる。（Ｂ）の係合部６１は、（Ａ）の中央の窪み部分を無くした断面略矩形状の形状である。（Ｃ）の係合部６２は、保護カバー３３の管状部分の一部を上記（Ｂ）と同様の断面略矩形状に突出させた形状である。これらは、樹脂の押出し成形によって一体成形することができる。尚、図３に示す突出片３４や図９（Ａ）、（Ｂ）の係合部６０，６１は、保護カバー３３と別体で形成することも可能である。
【００２０】
図１０及び図１１に、回転規制手段の別の実施形態を示す。
図１０及び図１１において、本実施形態の回転規制手段７０は、後述の保護カバー８０の外周形状に沿って円弧状に形成され内方にバネ性を有し先端部が拡開可能な把持部７０ａと、この把持部７０ａの外周部の略中間位置から外方に突出してホルダー２０に係合する係合部として突出片７０ｂと、前記把持部７０ａの両先端部及び両先端部から略等距離の中間位置に設けた複数の爪部７０ｃと、を備えて構成される。また、この回転規制手段７０を適用する保護カバー８０は、光透過性を有する管状部分の外周部に回転規制手段７０の爪部７０ｃを係止させるための溝部８０ａがカバー軸方向に沿って複数（本実施形態では、回転規制手段７０の爪部７０ｃと対応させて３つ）形成してある。
【００２１】
かかる回転規制手段７０では、保護カバー８０の溝部８０ａに爪部７０ｃを係止して照明装置３０の保護カバー８０に取付けた状態で、ホルダー２０（図４に示すものと同様の形状）の挟持部２０ｂの開放先端部２０ａを押し広げながら照明装置３０をホルダー２０に挿入し、突出片７０ｂをホルダー２０の取付部２０ｃに係合させる。これにより、突出片７０ｂがホルダー２０の取付部２０ｃと係合して照明装置３０の回転が規制され、照明装置３０の回転を防止できる。尚、図１０及び図１１中、８１は、保護カバー８０内部の光源（蛍光灯やＬＥＤ照明モジュール）に電気的に接続する端子部である。
【００２２】
尚、上記実施形態では、爪部７０ｃに対応させて溝部８０ａを３本としたが、照明装置３０の照射に影響を与えない程度に数を増やしてもよく、この場合、回転規制手段７０の取付け位置を選択調整することが可能である。また、溝部８０ａによる照射光の拡散効果が有る。更に、管径が細い照明装置を既存のホルダーの径に合わせて取付けることが可能であり、ショーケースの照明に適用できる照明装置が増える。
【００２３】
上記実施形態では、本発明の回転防止機構を、リーチイン、ウォークイン等のガラス扉付きショーケースの照明装置に適用する例を説明したが、図１２や図１３に示すようなオープン型ショーケースの照明装置にも適用することができる。図１２に示すオープン型ショーケースについて簡単に説明すると、オープン型ショーケース１００は、商品載置用の複数段の棚１０１が架設された陳列室１０２が形成される本体１０３の天井部１０４の前面側先端部に取付けられたキャノピー１０５の下面に、照明装置３０がホルダー２０を介して取付けられている。照明装置３０の前方側（店内側）は、例えば乳白色の半透明板で形成したシェード１０６で覆われている。このオープン型ショーケース１００の場合も、同じように上述した本発明の回転防止機構を設けて照明装置３０の回転を防止することで、商品の視認性の低下や照明光の無駄を低減することができる。
【００２４】
図１３は、オープン型ショーケース２００′において、商品載置用の棚２０１′の下面に、ホルダー２０を介して照明装置３０を取付けた例を示したものである。この場合も、本発明の回転防止機構を設けて照明装置３０の回転を防止することで、商品の視認性の低下や照明光の無駄を低減することができる。
【００２５】
尚、言うまでもないが、本発明の照明装置の回転防止機構は、スーパーマーケットやコンビニエンスストア等に設置されるショーケースの照明装置だけでなく、円管状の保護カバー付きの照明装置をホルダーで挟持保持する取付け構造の照明装置であれば、どのような照明装置にも適用可能である。
【符号の説明】
【００２６】
１、１００、２００、２００′    ショーケース
２０、４０    ホルダー
２０ａ、４０ａ    開放先端部
２０ｂ、４０ｂ    挟持部
２０ｃ、４０ｃ    取付部
３０    照明装置
３２    蛍光灯
３３、８０    保護カバー
３４、７０ｂ    突出片（回転規制手段）
５１    基板
５２    ＬＥＤ素子
６０、６１、６２    係合部（回転規制手段）
６０ａ    凹部
７０    回転規制手段
７０ａ    把持部
７０ｃ    爪部
８０ａ    溝部
【図１】
2013232286.tif 000003
【図２】
2013232286.tif 000004
【図３】
2013232286.tif 000005
【図４】
2013232286.tif 000006
【図５】
2013232286.tif 000007
【図６】
2013232286.tif 000008
【図７】
2013232286.tif 000009
【図８】
2013232286.tif 000010
【図９】
2013232286.tif 000011
【図１０】
2013232286.tif 000012
【図１１】
2013232286.tif 000013
【図１２】
2013232286.tif 000014
【図１３】
2013232286.tif 000015